(57)【特許請求の範囲】
【請求項１】
下記の要件を備えたことを特徴とするペットボトル。
（イ）ボトル本体と、ボトル本体の口部に着脱自在に取り付けられるキャップとからなること。
（ロ）ボトル本体は、熱可塑性樹脂によって形成され、基部と、装飾部とからなること。
（ハ）基部には、ボトル本体内の加減圧に伴うボトル本体の変形、破損等を回避する減圧パネルが設けられていること。
（ニ）前記装飾部は前記基部の外周を超えない略楕円形の断面を有すること。
【請求項２】
前記装飾部の前記略楕円形の断面の緩やかに湾曲した側に装飾が施されていることを特徴とする請求項１記載のペットボトル。
【請求項３】
前記装飾部が動物又は人型形状に形成されていることを特徴とする請求項１又は２記載のペットボトル。
【発明の詳細な説明】
【０００１】
【発明の属する技術分野】
本発明は、ジュース、お茶、ミネラルウォーター等の清涼飲料水を収容するペットボトルに関するものである。
【０００２】
【従来の技術】
従来、清涼飲料水を収容するペットボトルは、熱可塑性樹脂によって形成されたボトル本体と、このボトル本体の口部に着脱自在に取り付けられるキャップとからなっている。ボトル本体には、特開平７−２０５２５８号公報に開示されているように、ボトル本体内の加減圧に伴うボトル本体の変形、破損等を回避する減圧パネルが設けられている。
【０００３】
ボトル本体は、一般的には次のようにして成形されている。ポリエチレンテレフタレート樹脂素材を射出して、試験管状のプリフォームを成形する。プリフォームは、開放端側にサポートリングと雄ネジを形成した口部が形成されている。口部を、適宜手段により白化結晶化し、熱等による変形が発生し難いものにする。プリフォームの口部を除く下部を、赤外線ランプ等の加熱手段により加熱する。次に、この加熱したプリフォームを所定の形状のブロー金型内に入れ、ストレッチロッドでプリフォームを縦方向に延伸させながら、プリフォーム内に加圧空気を吹き込んで円周方向に膨らませ、ブロー金型の内面形状に沿った形のボトル本体を成形する。
【０００４】
上記したように、いわゆる二軸延伸ブロー成形により成形されたボトル本体は、飲料充填室で、高熱殺菌された飲料が口部から充填され、口部に減菌されたキャップが取り付けられ、ペットボトルが完成する。高熱殺菌された飲料の温度が下がると、ペットボトル内が減圧されるが、減圧パネルが変形して、ボトル本体の変形、破損を回避させることができる。なお、減圧パネルは、凹部によって形成される。
【０００５】
【発明が解決しようとする課題】
従来のペットボトルのボトル本体は、全面に減圧パネルが設けられた、極めて単純な形の円筒状又は直方体状に形成されているため、興趣がなく、内部の清涼飲料水がなくなれば直ちに捨てられてしまうという問題点があった。また、従来のボトル本体は、外観形状がどの商品でもほとんど同じであるため、外観形状で需要者の購買意欲を煽ることができないという問題点があった。
【０００６】
本願発明は、上記問題点に鑑み案出したものであって、ボトル本体を基部と装飾部に分け、基部側に減圧パネルを設けたので、装飾部を多種多様な特徴ある形状に成形することができ、しかもその装飾部によって需要者の購買意欲を高めることができる、従来にない新規な構造のペットボトルを提供することを目的とする。
【０００７】
【課題を解決するための手段】
請求項１記載の発明に係るペットボトルは、上記目的を達成するため、下記の手段を有する。
（イ）ボトル本体と、ボトル本体の口部に着脱自在に取り付けられるキャップとからなること。
（ロ）ボトル本体は、熱可塑性樹脂によって形成され、基部と、装飾部とからなること。
（ハ）基部には、ボトル本体内の加減圧に伴うボトル本体の変形、破損等を回避する減圧パネルが設けられていること。
（ニ）前記装飾部は前記基部の外周を超えない略楕円形の断面を有すること。
【０００８】
請求項２記載の発明に係るペットボトルは、上記手段に加え、前記装飾部の前記略楕円形の断面の緩やかに湾曲した側に装飾が施されている。請求項３記載の発明に係るペットボトルは、上記手段に加え、前記装飾部が動物又は人型形状に形成されている。
【０００９】
【発明の実施の形態】
本願発明の実施の形態を図１乃至図１３に基づいて説明する。図１は、本発明に係るペットボトルの実施の形態を示す全体斜視図である。図２は、図１の側面図である。図３は、図１の正面図である。図４は、図１の平面図である。図５は、図３のＸ−Ｘ断面図である。図６は、製造過程を示す正面図である。図７，８は、製造過程を示す断面図である。図９は、本発明に係るペットボトルの他の実施の形態を示す全体斜視図である。図１０は、キャップの一つの形態を示す斜視図である。図１１は、図１０の断面側面図である。図１２は、図１０のキャップを使用した状態を示す全体斜視図である。図１３は、図１２の側面断面図である。
【００１０】
請求項１記載の発明に係るペットボトル１は、ボトル本体２と、ボトル本体２の口部１６に着脱自在に取り付けられるキャップ２１とからなる。ボトル本体２は、熱可塑性樹脂、具体的にはポリエチレンテレフタレート樹脂によって形成され、有底筒状の基部３と、基部３の上部の装飾部１０とからなる。基部３には、ボトル本体２内の加減圧に伴うボトル本体２の変形、破損等を回避する減圧パネル５が複数設けられている。減圧パネル５は、楕円状凹部６によって形成されている。なお、凹部の形状は、特に限定されるものではなく、図９に示すように、矩形状凹部７にしても構わない。
【００１１】
装飾部１０は、動物形状に形成され、頭部１１と、胴部１２と、腕部１３と、脚部１５が形成されている。頭部１１の頂部には、口部１６が形成されている。口部１６には、サポートリング１７と、サポートリング１７の上部に雄ネジ１９が形成されている。キャップ２１は、口部１６の雄ネジ１９に着脱自在に螺着する。
【００１２】
ボトル本体２は、次のようにして成形される。射出装置によりポリエチレンテレフタレート樹脂素材を射出して、図６に示すように、試験管状のプリフォーム２２を成形する。プリフォーム２２は、開放端側にサポートリング１７と雄ネジ１９が形成された口部１６が形成されている。口部１６を、適宜手段により白化結晶化し、熱等による変形が発生し難いものにする。
【００１３】
プリフォーム２２の口部１６を除く下部を、赤外線ランプ等の加熱手段により加熱する。次に、この加熱したプリフォーム２２を所定の形状のブロー金型２９，３０内に入れ、ストレッチロッド３１でプリフォーム２２を縦方向に延伸させながら、プリフォーム２２内に加圧空気を吹き込んで円周方向に膨らませ、ブロー金型２９，３０の内面形状に沿った形のボトル本体２を成形する。ブロー金型３０は、前金型３２と、前金型３２に接合する後金型３３とからなり、内面に基部３の輪郭と装飾部１０の輪郭を形成する凹部が形成されている。
【００１４】
上記したように、いわゆる二軸延伸ブロー成形により成形されたボトル本体２は、飲料充填室で、高熱殺菌された飲料が口部１６から充填され、口部１６の雄ネジ１９に減菌されたキャップ２１が螺着され、ペットボトル１が完成する。高熱殺菌された飲料の温度が下がると、ペットボトル１内が減圧されるが、減圧パネル５が変形するので、ボトル本体２の変形、破損を回避させることができる。
【００１５】
上記したようにペットボトル１は、基部２に減圧パネル５を集中して設けているので、装飾部１０に減圧パネル５を設ける必要がなく、そのため装飾部１０を自由に成形することができる。この装飾部１０により、従来の単純な形状のペットボトルと異なり、形態に特徴が備えられ、外観形状によって他の商品との識別が容易となり、しかも装飾部１０によって需要者に購買意欲を惹起せしめる。
【００１６】
またペットボトル１は、ボトル本体２内の清涼飲料水がなくなっても、装飾部１０が基部３に載置された形となっており、基部３が台座となって置物として使用することができ、ボトル本体２に水をいれて花瓶や装飾文鎮としても使用することができる。また基部３の形状を、通常のペットボトルの規格に合わせておくと、従来の製造ラインで、製造することができ、新たな製造ラインを設ける必要がない。また、飲料水の充填作業の際、把持が容易となる。さらに、装飾部１０を基部３の外周より外側に出ないように形成すると、従来のペットボトル運搬用のケースに片寄らずに等間隔で均一に収納することができる。しかも、装飾部１０同士が接触しないので、装飾部１０が破損することがない。
【００１７】
なお、装飾部１０は、動物形状に成形したが、その形状に限定されるものではなく、人型形状、自動車形状、ロケット形状等種々変更することができる。装飾部１０を、動物、人型形状等に形成すると、特に子供の購買意欲を刺激し、さらに清涼飲料水がなくなった後はペットボトル１がおもちゃとして使用することができる。
【００１８】
また、図１０，１１に示すように、キャップを帽子形状に形成することもできる。このキャップ２４は、円筒状のキャップ本体２５と、本体２５の下部周縁に形成された鍔部２６と、口部１６の雄ネジ部１９に螺合する雌ネジ部２７と、サポートリング１７を収容する凹部２８を備えている。このキャップ２４の雌ネジ部２７を、ボトル本体２の口部１６の雄ネジ部１９に螺合すると、口部１６全体がキャップ２４内に収納され、あたかも動物形状の装飾部１０の頭部１１に帽子を被せている形となり、置物として使用することができる。
【００１９】
【発明の効果】
以上説明してきたように、本願発明に係るペットボトルは、基部に減圧パネルを集中して設けているので、装飾部に減圧パネルを設ける必要がなく、そのため装飾部を自由に成形することができるという効果がある。また、装飾部が成形されているため、従来の単純な形状のペットボトルと異なり、形態に特徴が備えられ、外観形状によって他の商品との識別が容易となり、しかも装飾部によって需要者に購買意欲を惹起せしめるという効果もある。
【００２０】
さらにまた本願発明に係るペットボトルは、ボトル本体内の清涼飲料水がなくなっても、装飾部が基部に載置された形となっており、基部が台座となって置物として使用することができ、ボトル本体に水をいれて花瓶や装飾文鎮としても使用することができるという効果がある。また基部の形状を、通常のペットボトルの規格に合わせておくと、従来の製造ラインで、製造することができ、新たな製造ラインを設ける必要がないという効果がある。また、飲料水の充填作業の際、把持が容易となるという効果もある。さらに、装飾部を基部の外周より外側に出ないように形成すると、従来のペットボトル運搬用のケースに片寄らずに等間隔で均一に収納することができるという効果がある。しかも、装飾部同士が接触しないので、装飾部が破損することがないという効果もある。
【００２１】
本願発明に係るペットボトルは、装飾部が動物又は人型形状に形成されているため、特に子供の購買意欲を刺激し、さらに飲料水がなくなった後はおもちゃとして使用することができるという効果がある。
【００２２】
本願発明に係るペットボトルは、キャップが帽子形状に形成されているため、動物又は人形等の装飾部が帽子を被った形態にすることができ、全体で装飾物となるという効果がある。
【図面の簡単な説明】
【図１】本発明に係るペットボトルの実施の形態を示す全体斜視図である。
【図２】図１の側面図である。
【図３】図１の正面図である。
【図４】図１の平面図である。
【図５】図３のＸ−Ｘ断面図である。
【図６】製造過程を示す正面図である。
【図７】製造過程を示す断面図である。
【図８】製造過程を示す断面図である。
【図９】本発明に係るペットボトルの他の実施の形態を示す全体斜視図である。
【図１０】キャップの一つの形態を示す斜視図である。
【図１１】図１０の断面側面図である。
【図１２】図１０のキャップを使用した状態を示す全体斜視図である。
【図１３】図１２の側面断面図である。
【符号の説明】
１  ペットボトル
２  ボトル本体
３  基部
５  減圧パネル
６  楕円状凹部
７  矩形状凹部
１０  装飾部
１１  頭部
１２  胴部
１３  腕部
１５  脚部
１６  口部
１７  サポートリング
１９  雄ネジ部
２１  キャップ
２２  プリフォーム
２４  キャップ
２５  キャップ本体
２６  鍔部
２７  雌ネジ部
２８  凹部
３０  ブロー金型
３１  ストレッチロッド
３２  前金型
３３  後金型
【図１】
0004365478.tif 000002
【図２】
0004365478.tif 000003
【図３】
0004365478.tif 000004
【図４】
0004365478.tif 000005
【図５】
0004365478.tif 000006
【図６】
0004365478.tif 000007
【図７】
0004365478.tif 000008
【図８】
0004365478.tif 000009
【図９】
0004365478.tif 000010
【図１０】
0004365478.tif 000011
【図１１】
0004365478.tif 000012
【図１２】
0004365478.tif 000013
【図１３】
0004365478.tif 000014